【手続補正書】
【提出日】令和3年7月14日(2021.7.14)
【手続補正１】
【補正対象書類名】特許請求の範囲
【補正対象項目名】全文
【補正方法】変更
【補正の内容】
【特許請求の範囲】
【請求項１】
患者の顔面に患者インタフェースを固定する固定構造体であって、
本体を備え、
前記患者の顔面から離れる方に且つ前記患者インタフェースの方に面する前記本体の第１面は固定要素を含み、当該固定要素は、前記患者インタフェースの取付構造体の相補的な締結具に取り付け可能であり、
前記固定要素は、前記固定要素の可撓性を向上させるスリット、切れ目、窓、又は薄い領域のパターンを有する、固定構造体。
【請求項２】
前記スリットのパターンは、スリットの形状の交互の列を含む、請求項１に記載の固定構造体。
【請求項３】
前記列の各々は、両側の列に対して反対の方向に面し且つ両側の列から少なくとも部分的にずれている形状を有する弓形及び／又は半円形スリットを含む、請求項２に記載の固定構造体。
【請求項４】
前記本体は、
第１縁と、
前記患者の顔面での使用時、前記第１縁より前記患者の鼻又は口から遠いように、前記第１縁に対向する第２縁と、
前記第１縁と前記第２縁との間に延在する、対向する第３縁及び第４縁と、を備え、
前記第１面は、前記第１縁と前記第２縁との間に延びる、請求項１〜３のいずれか一項に記載の固定構造体。
【請求項５】
前記スリットのうちの少なくともいくつかが、前記第１縁、前記第２縁、前記第３縁、及び前記第４縁のうちの少なくとも１つまで延在する、請求項４に記載の固定構造体。
【請求項６】
前記スリットのうちの少なくともいくつかが、前記第３縁及び前記第４縁まで交互に延在するスリットの列で配置されている、請求項４又は５に記載の固定構造体。
【請求項７】
前記半円形スリットは、前記固定構造体の長手方向において部分的に重なっている請求項３又は６に記載の固定構造体。
【請求項８】
前記スリットの列の各々が半円形又は三日月形状を有するスリットを備え、前記半円形又は三日月形状が、隣接する列のスリットの半円形又は三日月形の形状に対して反対方向に面し、且つ、隣接する列のスリットの半円形又は三日月形の形状から前記第３縁又は前記第４縁に向かって少なくとも部分的にずれている、請求項６に記載の固定構造体。
【請求項９】
前記固定要素が、前記第２縁によりも前記第１縁に近いように位置決めされている、請求項４〜８のいずれか一項に記載の固定構造体。
【請求項１０】
前記固定要素の中間点が、前記第１縁と前記第２縁との間の中途の中心線又は中心部分からずれている、請求項４〜９のいずれか一項に記載の固定構造体。
【請求項１１】
前記固定要素の中間点が、前記第３縁と前記第４縁との間の中途の中心線又は中心部分にある、請求項４〜１０のいずれか一項に記載の固定構造体。
【請求項１２】
前記固定要素によって覆われていない前記第１面の少なくとも一部が、把持領域又は支持領域を含む、請求項１〜１１のいずれか一項に記載の固定構造体。
【請求項１３】
前記固定要素が、前記第１縁から、前記第１縁と前記第２縁との間の前記第１面の長さに沿った位置まで延在し、又は前記第１縁と前記第２縁との間の前記固定要素の長さが、前記第１縁と前記第２縁との間の前記第１面の長さより短い、請求項４〜１２のいずれか一項に記載の固定構造体。
【請求項１４】
前記第１面の長さに対する前記固定要素の長さの比が、０．２〜０．９である、請求項１３に記載の固定構造体。
【請求項１５】
前記固定要素が、前記第１縁と前記第２縁との間の実質的に全体に延在し、前記第３縁と前記第４縁との間には部分的にのみ延在し、前記固定要素は、前記第３縁から、前記第３縁と前記第４縁との間の前記第１面の幅に沿った位置まで延在し、又は前記固定要素が、前記第1縁から、前記第１縁と前記第２縁との間の前記第１面の長さに沿った位置まで延在し、前記固定要素が、前記第３縁から、前記第３縁と前記第４縁との間の前記第１面の幅に沿った位置まで延在する、請求項４〜８のいずれか一項に記載の固定構造体。
【請求項１６】
前記固定要素が、前記患者インタフェースの前記取付構造体の相補的なループファスナに取外し可能に取付可能なフックファスナを含む、請求項１〜１５のいずれか一項に記載の固定構造体。
【請求項１７】
前記フックファスナが、前記第１面から外向きに延在する複数のフックを備える、請求項１６に記載の固定構造体。
【請求項１８】
前記複数のフックのうちの少なくともいくつかが、前記第１縁及び／又は前記第２縁に向かって延在し、又は前記複数のフックのうちの少なくともいくつかが、前記第１縁及び前記第２縁に対して概して平行であり且つ前記第３縁及び前記第４縁に対して概して垂直である、請求項１７に記載の固定構造体。
【請求項１９】
前記スリットのうちの少なくともいくつかが、前記第３縁及び前記第４縁に向かって延在する、請求項４に記載の固定構造体。
【請求項２０】
前記第１縁及び前記第２縁に近い方の前記複数のスリットのうちの少なくともいくつかが、前記第１縁及び前記第２縁から遠い方の前記スリットのうちの少なくともいくつかより短く、又は前記スリットのうちの少なくともいくつかが、前記第３縁と前記第４縁との間の中途の中心線又は中心部分を横切って延在しない、請求項１９に記載の固定構造体。
【請求項２１】
前記スリットのうちの少なくとも１つが、蛇行形状を有する、請求項１〜２０のいずれか一項に記載の固定構造体。
【請求項２２】
前記スリットのうちの２つが蛇行形状を有し、前記蛇行スリットのうちの一方が前記第１縁に向かって延在し、前記蛇行スリットのうちの他方が前記第２縁に向かって延在する、請求項２１に記載の固定構造体。
【請求項２３】
前記スリットのうちの少なくともいくつかが、ジグザグ形状を有する、請求項１〜２２のいずれか一項に記載の固定構造体。
【請求項２４】
前記スリットは、蛇行、ジグザグ、及び半円のうちの少なくとも１つとして形作られる、請求項１〜２３のいずれか一項に記載の固定構造体。
【請求項２５】
前記固定構造体が、前記第１縁と前記第２縁との間に延在する第２面を備え、前記第２面が、使用時に前記患者の顔面の方に且つ前記患者インタフェースから離れる方に面し、前記第２面が、前記患者の顔面に取付可能な第２締結具を備える、請求項４に記載の固定構造体。
【請求項２６】
前記第２締結具が、前記患者の前記顔面に取外し可能に取付け可能な接着剤を備える、請求項２５に記載の固定構造体。
【請求項２７】
前記接着剤が、親水コロイド系接着剤及びシリコーン系接着剤のうちの少なくとも一方であり、又は前記接着剤が、使用時、前記顔面への塗布の後、少なくとも所定期間、前記患者の顔面に対する一定レベルの接着力を実質的に維持する材料を含み、又は前記接着剤が、使用時、実質的に前記患者の顔面の形状に沿う材料を含む、請求項２６に記載の固定構造体。
【請求項２８】
前記固定構造体が、吸湿性の低い材料又はヤング率の低い材料を含み；又は前記固定構造体が、実質的に均一な厚さを有し；又は前記固定構造体が、前記患者の顔面の動きに応じて前記固定構造体が曲がるのを可能にする厚さを有し；又は前記固定構造体が、０．０５ｍｍ〜５ｍｍの厚さを有し；又は前記固定要素が、実質的に楕円形、矩形、正方形、台形、三角形又は五角形の形状を有する、請求項１〜２７のいずれか一項に記載の固定構造体。
【請求項２９】
患者の顔面に患者インタフェースを固定する固定構造体であって、
第１縁と、
前記患者の顔面での使用時、前記第１縁より前記患者の鼻又は口から遠いように、前記第１縁に対向する第２縁と、
前記第１縁と前記第２縁との間に延在する、対向する第３縁及び第４縁と、
前記第１縁と前記第２縁との間に延在する第１面と、を備え、
前記第１面が、前記患者の顔面から離れる方に且つ前記患者インタフェースの方に面し、前記第１面が固定要素を含み、前記固定要素が前記患者インタフェースの取付構造体の相補的な締結具に取付可能であり、
前記固定要素は、前記固定要素の可撓性を向上させるスリットのパターンを有する、固定構造体。